(57)【特許請求の範囲】
【請求項１】
送り込まれてくる紙葉類を集積させる集積部と、
この集積部に送り込まれる紙葉類の上面側に接触してその送込方向奥側に向かって搬送する搬送手段と、
この搬送手段によって搬送される紙葉類に負圧を付与して前記搬送手段に吸着させる負圧付与手段と、
前記搬送手段に吸着されて送込方向奥側に搬送されてきた紙葉類の奥側端部を保持する保持手段と、
この保持手段によって前記紙葉類の奥側端部が保持されたのち、前記搬送手段を逆方向に動作させて前記紙葉類を逆方向に所定量搬送してから前記紙葉類に対する前記負圧付与手段による負圧付与を解除させる制御手段と
を具備することを特徴とする紙葉類集積装置。
【請求項２】
前記負圧付与手段は、正逆回転するファンで、前記ファンの正回転により前記紙葉類を前記搬送手段に吸着させ、逆回転により前記紙葉類を前記搬送手段から強制的に落下させることを特徴とする請求項１記載の紙葉類集積装置。
【請求項３】
前記保持手段は高摩擦材で成形された保持アームを有してなることを特徴とする請求項１記載の紙葉類集積装置。
【請求項４】
前記紙葉類は長尺のレセプトで、
この長尺のレセプトは、本票とこの本票に連ねられる続紙とを有して構成される請求項１乃至３の何れか一項に記載の紙葉類集積装置。
【発明の詳細な説明】
【０００１】
【発明の属する技術分野】
本発明は、例えば、光学的文字読取装置、或いは光学的イメージ読取装置に用いられる紙葉類集積装置に関する。
【０００２】
【従来の技術】
光学的文字読取装置等では、紙葉類を積載するホッパを備え、このホッパから紙葉類を一枚づつ取り出して装置本体内の読取部に搬送する。そして、この読取部で紙葉類の記載情報を読み取ったのち、この紙葉類を集積部へと搬送して集積するようにしている。
【０００３】
ところで、この光学的文字読取装置等では、紙葉類として医療用のレセプトの記載情報を読み取ることがある。このレセプトは記載事項が一杯になると、追加レセプトが順に貼り付けられて使用されるようになっている。追加レセプトの貼付枚数はものによって各々異なるが、投薬期間が長いほど増え、通常時には、折り畳まれている。
【０００４】
このような追加レセプトが何枚も貼り付けられた所謂、長尺のレセプトの読取時には、追加レセプトを引き伸ばした状態にしてホッパから手差しで給紙されて記載事項が読み取られる。そして、記載事項が読み取られたのちは、通常サイズのレセプトとは異なる長尺専用の集積部に集積されるようになっている（例えば、特許文献１参照。）。
【０００５】
【特許文献１】
特開平８−３２４８６６号公報
【０００６】
【発明が解決しようとする課題】
しかしながら、長尺専用の集積部では、送り込まれてくる長尺レセプトを単に自然落下方式で集積していたため、折れ癖がついたまま集積されてしまう。このため、先に集積された長尺レセプトの後端部に対して後続する長尺レセプトの先端が潜り込んで集積順がずれたり、或いは、当接してジャムが発生するといった問題があった。
【０００７】
本発明は上記事情に着目してなされたもので、その目的とするところは、紙葉類の折れ癖を矯正して良好に集積できるようにした紙葉類集積装置を提供することを目的とする。
【０００８】
【課題を解決するための手段】
上記課題を解決するため、本発明は、送り込まれてくる紙葉類を集積させる集積部と、この集積部に送り込まれる紙葉類の上面側に接触してその送込方向奥側に向かって搬送する搬送手段と、この搬送手段によって搬送される紙葉類に負圧を付与して前記搬送手段に吸着させる負圧付与手段と、前記搬送手段に吸着されて送込方向奥側に搬送されてきた紙葉類の奥側端部を保持する保持手段と、この保持手段によって前記紙葉類の奥側端部が保持されたのち、前記搬送手段を逆方向に動作させて前記紙葉類を逆方向に所定量搬送してから前記紙葉類に対する前記負圧付与手段による負圧付与を解除させる制御手段とを具備する。
【０００９】
【発明の実施の形態】
以下、本発明を図面に示す実施の形態を参照して詳細に説明する。
図１は本発明の一実施の形態である紙葉類処理装置の内部構成を示すもので、この紙葉類処理装置は光学式の読取装置１とソータ装置２とによって構成されている。図２は光学式の読取装置１を示す外観斜視図である。
【００１０】
読取装置１は装置本体３を有し、この装置本体３の一側上部側には載置部としてのホッパテーブル４が設けられている。ホッパテーブル４上には、紙葉類としての医療用の各種サイズのレセプト６が多数枚立位状態で載置されている。このレセプト６はその上端側が後方へ傾くように傾斜された状態で載置されている。
【００１１】
ホッパテーブル４上には、レセプト６を支持するガイド体５がレセプト６の送出方向に沿ってスライド自在に設けられている。ホッパテーブル４のレセプト６の送出側には、レセプト６を装置本体３内に送込むための第１のフィーダ部７が設けられている。第１のフィーダ部７はピックアップローラ８と送出ローラ９と分離ローラ１０とによって構成されている。また、ホッパテーブル４にはレセプト６の有無を判別する第１の判別手段としての検知スイッチ６１ａが設けられている。上記したホッパテーブル４と第１のフィーダ部７とにより第１の給紙手段としての第１の給紙部１１が構成されている。
【００１２】
装置本体３内の上部側には、第１のフィーダ部７から送り出されるレセプト６を搬送するメイン搬送路１２が設けられている。メイン搬送路１２にはレセプト６の搬送方向に亘って多数個の搬送ローラ対１３及び検知センサ１４等が配設されている。
【００１３】
また、装置本体３の上面部には後述する長尺レセプト（長尺紙葉類）を手差しさせるための第２の給紙手段としての手差し給紙部１７が設けられている。手差し給紙部１７は手差しされる長尺レセプトを載置する傾斜ホッパ２１と載置された長尺レセプトをメイン搬送路１２に向かって案内する案内路１８とを有している。傾斜ホッパ２１には手差しされる長尺レセプトの有無を判別する第２の判別手段としての検知スイッチ２０が設けられている。案内路１８中には第２のフィーダ部としての給紙ローラ対１９が設けられている。
【００１４】
案内路１８とメイン搬送路１２の合流部のレセプト搬送方向下流側には、レセプトに記録されている情報を光学的に読み取る読取部２２が設けられている。読取部２２は、レセプトに光を照射する一対の照明ランプ２３，２４と、レセプトから反射される光を所定方向に導く第１及び第２の反射ミラー２６，２７と、反射されくる光を受光して情報を読み取る受光センサ２８とによって構成されている。読取部２２のレセプト搬送方向下流側には、レセプトにナンバーを記録するナンバリング２９が設けられている。
【００１５】
メイン搬送路１２のレセプト搬送方向の終端側は装置本体３の内側面に沿って下方に略９０度折曲されてソータ装置２の搬送路３１に接続されている。
メイン搬送路１２の略９０度下方に折曲された部分には、第１及び第２の分岐搬送路３３，３４が接続され、その接続部近傍にはレセプトを第１及び第２の分岐搬送路３３，３４に選択的に案内する第１及び第２の分岐ゲート３６，３７が設けられている。
【００１６】
第１の分岐搬送路３３はメイン搬送路１２に沿って水平に設けられ、この第１の分岐搬送路３３中にはレセプトの搬送方向に亘って搬送ローラ対４０及び検知センサ４１が複数配設されている。第１の分岐搬送路３３の下方部には例えばＡ３サイズのレセプトを集積するための集積装置４３が設けられている。この集積装置４３は第１の分岐搬送路３３に沿って所定間隔を存して配設される複数個の集積部４３ａ〜４３ｃによって構成されている。
【００１７】
第１の分岐搬送路３３と複数個の集積部４３ａ〜４３ｃとは案内路４４ａ〜４４ｃを介して接続されている。第１の分岐搬送路３３と案内路４４ａ，４４ｂとの接続部近傍には分岐ゲート４５ａ，４５ｂが設けられ、この分岐ゲート４５ａ，４５ｂの回動によりレセプトが選択的に複数の集積部４３ａ〜４３ｃに案内されて集積されるようになっている。
【００１８】
第２の分岐搬送路３４は斜め下方に向かって延びたのち、長尺用の集積装置５１に接続されている。第２の分岐搬送路３４中にはレセプトの搬送方向に亘って複数の搬送ローラ対４７及び検知センサ４８が配設されている。長尺用の集積装置５１は上記した集積部４３ａ〜４３ｃの下部側に沿って水平に設けられている。この集積装置５１については、後で詳しく述べる。
【００１９】
一方、上記したソータ装置２は光学的読取装置１の他側面側に隣接して設けられている。ソータ装置２は上下方向に亘って配設される複数段のトレイ５３…を備え、これらトレイ５３…に例えばＡ４サイズのレセプトが区分収納される。ソータ装置２は上記したように光学的読取装置１のメイン搬送路１２の終端部に接続される搬送路３１を有し、この搬送路３１は水平搬送路３１ａと垂直搬送路３１ｂとによって構成されている。水平搬送路３１ａと垂直搬送路３１ｂにはレセプトの搬送方向に所定間隔を存して搬送ローラ対５５が複数配設されている。垂直搬送路３１ｂと複数段のトレイ５３…とは複数の分岐案内路５７…を介して接続されている。
【００２０】
次に、レセプトの処理動作について説明する。
まず、ホッパテーブル４上に多数枚のレセプト６を立位状態に載置し、第１のフィーダ部７を動作させる。これにより、ピックアップローラ８、送出ローラ９及び分離ローラ１０が回転され、レセプト６が一枚づつ分離してメイン搬送路１２へ送り出される。このレセプト６は搬送ローラ対１３…の回転によりメイン搬送路１２に沿って挟持搬送される。そして、この搬送途中においてレセプト６のサイズが検知センサ１４により検出され、この検知後、読取部２２で情報が光学的に読み取られる。この読取後、レセプト６はさらに搬送されてナンバリング２９に送られ、ここで、ナンバーが記録される。
【００２１】
ナンバーが記録されたレセプト６のサイズが例えば、Ａ４サイズものである場合には、メイン搬送路１２に沿って搬送されたのち、ソータ装置２の搬送路３１へと送込まれる。この搬送路３１に送込まれたレセプト６は水平搬送路３１ａに沿って搬送されたのち、垂直搬送路３１ｂに沿って上方へ搬送され、複数の分岐案内路５７…を介して複数段のトレイ５３…上に区分集積される。
【００２２】
また、レセプト６のサイズが例えば、Ａ３サイズである場合には、ソータ装置２に送込まれることなく、第１の分岐ゲート３６の動作により第１の分岐搬送路３３に送込まれ、集積装置４３の各集積部４３ａ〜４３ｃに集積される。
さらに、レセプト６が手差し給紙部１７から手差しされた長尺（例えば、１ｍの長さ）のものである場合には、第２の分岐ゲート３７の動作により第２の分岐搬送路３４に送られ、長尺用の集積装置５１に集積される。
【００２３】
ところで、上記した長尺用の集積装置５１は図３に示すように構成され、この集積装置５１には、上記した手差し給紙部１７から給紙される長尺レセプト６ａが集積されるようになっている。
【００２４】
長尺レセプト６ａは、図４に示すように、本票６ｂとこの本票６ｂに順次貼り付けられる続紙（追加レセプト）６ｃとからなる。この長尺レセプト６ａは本票６ｂに記載事項が一杯になると、続紙６ｃが順に貼り付けられる。
【００２５】
ただし、続紙６ｃの貼付パターンは数通りあり、本発明に関連するものは続紙６ｃを次々に貼り付けていくタイプのもので、図の破線部分は糊付部６ｄである。このタイプの長尺レセプト６ａは、通常、図５及び図６に示すように続紙６ｃが折り畳まれ、続紙６ｃの貼付枚数はものによって各々異なるが、投薬期間が長いほど増えていく。
【００２６】
集積装置５１は集積部６１を有し、この集積部６１の上面開口部には搬送機構６２ａ，６２ｂが配設されている。搬送機構６２ａ，６２ｂはローラ６３…間に搬送ベルト６４を掛け渡して構成されている。この搬送ベルト６４は幅方向に所定間隔を存して３本（１本のみ図示する）平行に配設されている。
【００２７】
また、搬送機構６２ａ，６２ｂには、図７にも示すように、各搬送ベルト６４毎にそれぞれ搬送方向に亘って負圧付与手段としてのファン６５が合計９個（３個のみ図示する）配設されている。各ファン６５は必要とする負圧に応じて選択的に使用される。
【００２８】
このファン６５の回転により発生する負圧により、長尺レセプト６ａが搬送ベルト６４…の下面部に吸着保持されるようになっている。長尺レセプト６ａはファン６５の回転停止により吸着保持が解除されて搬送ベルト６４から落下されるようになっている。
【００２９】
なお、負圧付与手段としては、図８に示すように、正逆回転するファン６６を配設して、搬送ベルト６４から長尺レセプト６ａを落下させるときには、ファン６６を逆回転させて強制的に長尺レセプト６ａを落下させるようにしても良い。
【００３０】
また、ファン６５の他に風を下向きに送風する下向きのファンを追加し、このファンの回転により、搬送ベルト６４から長尺レセプト６ａを強制的に落下させても良い。
【００３１】
図３に戻って搬送機構６２ｂの搬出側には、長尺レセプト６ａの先端側を斜め下方に向かって案内する案内ガイド６７及びこの案内ガイド６７に沿って案内されるレセプト６ａの先端部を押圧保持する保持手段６９が設けられている。
【００３２】
また、集積部６１の入口側には、送り込まれてくる長尺レセプト６ａを検知する入口センサ７０が設けられ、集積部６１の奥側には、長尺レセプト６ａの先端を検知する奥側センサ７１が設けられている。
【００３３】
図９は保持手段６９の駆動機構を示す斜視図である。
【００３４】
保持手段６９は長尺レセプト６ａの幅方向に亘って複数配設され保持アーム７２を有している。これら保持アーム７２は高摩擦材料によって成形され、シャフト７３に取付けられている。シャフト７３の一端部にはアーム駆動モータ７５が接続されている。また、シャフト７３には検出板７７が取付けられ、検出板７７はシャフト７３の近傍に設けられたアーム位置検知センサ７８によって検知される。
【００３５】
保持アーム７２はアーム駆動モータ７５の駆動により正逆方向に９０度回動されて水平状態或いは起立状態になり、水平状態になることにより長尺レセプト６ａの先端を押圧保持し、起立状態になることにより長尺レセプト６ａの先端の押圧保持を解除する。
【００３６】
図１１は上記した搬送ベルト６４、ファン６５及び保持アーム７２の駆動制御系を示すブロック図である。
集積部６１の入口センサ７０、奥側センサ７１及びアーム位置検知センサ７８は信号送信回路を介して制御手段としての制御装置８１に接続されている。制御装置８１には制御回路を介してベルト駆動モータ８２及びアーム駆動モータ７５さらに、ファン駆動モータ８３が接続されている。
【００３７】
入口センサ７０からのレセプト検知信号が制御装置８１に送信されると、ベルト駆動モータ８２が駆動されて搬送ベルト６４が長尺レセプト６ａを集積部６１の奥側に向かって搬送するように走行されるとともに、ファン駆動モータ８３が駆動されてファン６５が回転されるようになっている。
【００３８】
また、奥側センサ７１からレセプト検知信号が制御装置８１に送信されると、アーム駆動モータ７５が駆動されて保持アーム７２が水平状態に回動されて長尺レセプト６ａの先端を押圧保持するようになっている。
【００３９】
アーム位置検知センサ７８から検出板７７を検出しない信号、即ち、保持アーム７２によってレセプト６ａの先端部が保持ア−ム７２により押圧保持されたことを検知した信号が制御装置８１に送信されると、ベルト駆動モータ８２が逆方向に駆動されて長尺レセプト６ａが集積部６１の入口方向に向かって搬送されるように搬送ベルト６４を走行させるとともに、ベルト駆動モータ８２が逆方向に所定時間駆動されると、ファン駆動モータ８３の駆動が停止させるようになっている。
【００４０】
次に、長尺レセプト６ａの集積動作について図１２乃至図１６に基づいて説明する。
長尺レセプト６ａはメイン搬送路１２に沿って搬送されたのち、第２の分岐搬送路３４に沿って搬送されて図１２に示すように長尺用の集積部６１に送り込まれる。この長尺レセプト６ａは入口センサ７０によって検知され、この検知に基づいて搬送ベルト６４が走行されるとともにファン６５が回転される。ファン６５の回転により集積部６１内の風が矢印で示すように上方に吹き出され、その風圧により長尺レセプト６ａは上方向に吸い付けられて搬送ベルト６４の下面部に吸着される。この長尺レセプト６ａは搬送ベルト６４の走行により、集積部６１の奥側に向かって搬送される。長尺レセプト６ａの先端が集積部６１の奥側に達すると、図１３に示すように案内ガイド６７により、集積部６１の右下方に向かって案内される。そしてこの長尺レセプト６ａの先端が奥側センサ７１によって検知されると、図１４に示すように保持アーム７２が起立状態から下方に回動されて長尺レセプト６ａの先端部を押圧保持する。こののち、図１５に示すように、搬送ベルト６４が逆方向に走行されて長尺レセプト６ａは折り癖が伸ばされながら逆方向に搬送される。
【００４１】
この逆搬送により、図１６に示すように、長尺レセプト６ａの折り癖が矯正されると、ファン６５の回転が停止されるととともに、搬送ベルト６４の逆走行が停止される。これにより、長尺レセプト６ａはその自重により落下されて集積部６１内に集積される。このように集積されると、保持アーム７２が上方へ回動されて初期位置に復帰して次の長尺レセプト６ａの集積を開始する。
【００４２】
上記したように、この実施の形態によれば、長尺レセプト６ａの続紙６ｃを引き伸ばしてその折り癖を矯正してから集積部６１に集積させるため、長尺レセプト６ａの集積順がずれたり、ジャムが発生するといったことなく、良好な集積が可能になる。
【００４３】
また、引き伸ばした長尺レセプト６ａに対し、ファン６５を逆回転させて下向きに風を吹き付けることができるため、搬送ベルト６４から長尺レセプト６ａを強制的に落下させることができ、その分集積時間を短縮化することができる。
【００４４】
さらに、保持アーム７２は高摩擦材によって成形されるため、長尺レセプト６ａの保持力が強く、確実な保持が可能になる。
その他、本発明はその要旨の範囲内で種々変形実施可能なことは勿論である。
【００４５】
【発明の効果】
本発明は以上説明したように、紙葉類の折り癖を矯正して集積でき、紙葉類の集積順がずれたり、ジャムが発生するといったことなく、良好な集積が可能になる。
【図面の簡単な説明】
【図１】  本発明の一実施の形態である紙葉類処理装置を示す全体構成図。
【図２】  同実施形態の光学的文字読取装置を示す外観斜視図。
【図３】  同実施形態の長尺専用の集積部を示す構成図。
【図４】  同実施形態で読み取られる長尺レセプトを示す平面図。
【図５】  図４の長尺レセプトの追加レセプトを折り畳んだ状態を示す平面図。
【図６】  図４の長尺レセプトの追加レセプトを折り畳んだ状態を示す斜視図。
【図７】  同実施形態のファンの正回転によりレセプトが搬送ベルトに吸着される状態を示す斜視図。
【図８】  同実施形態のファンの逆回転によりレセプトが搬送ベルトから落下される状態を示す斜視図。
【図９】  同実施形態の保持アームによりレセプトの先端部が保持された状態を示す斜視図。
【図１０】  同実施形態の保持アームによるレセプトの先端部の保持が解除された状態を示す斜視図。
【図１１】  同実施形態の搬送ベルト、保持アーム及びファンの駆動制御系を示すブロック図。
【図１２】  同実施形態の長尺レセプトが集積部の奥に向かって搬送される状態を示す図。
【図１３】  図１２の長尺レセプトの先端が集積部の底部に向かって案内される状態を示す図。
【図１４】  図１３の長尺レセプトの先端が押圧プレートによって押圧保持された状態を示す図。
【図１５】  図１４の長尺レセプトが先端が保持された状態で逆方向に搬送されて折り癖が矯正される状態を示す図。
【図１６】  図１５の矯正された長尺レセプトが落下されて集積された状態を示す図。
【符号の説明】
６ａ…長尺レセプト（紙葉類）、６ｂ…本票、６ｃ…続紙、６１…集積部、６４…搬送ベルト（搬送手段）、６５…ファン（負圧付与手段）、６６…ファン、６９…保持手段、７２…保持アーム、８１…制御装置（制御手段）。
【図１】
0003680062.tif 000002
【図２】
0003680062.tif 000003
【図３】
0003680062.tif 000004
【図４】
0003680062.tif 000005
【図５】
0003680062.tif 000006
【図６】
0003680062.tif 000007
【図７】
0003680062.tif 000008
【図８】
0003680062.tif 000009
【図９】
0003680062.tif 000010
【図１０】
0003680062.tif 000011
【図１１】
0003680062.tif 000012
【図１２】
0003680062.tif 000013
【図１３】
0003680062.tif 000014
【図１４】
0003680062.tif 000015
【図１５】
0003680062.tif 000016
【図１６】
0003680062.tif 000017